(57)【特許請求の範囲】
【請求項１】
データ接続を確立するための方法であって、
受信側デバイスにより、送信側デバイスの接続情報を取得するステップであって、前記接続情報が前記送信側デバイスの伝送機能と前記伝送機能の認証情報とを含むステップと、
前記受信側デバイスにより、前もって取得した伝送機能優先順位、前記送信側デバイスの前記伝送機能、及び前記受信側デバイスの伝送機能に応じて、ターゲット伝送機能を使用可能にするステップと、
前記送信側デバイスが前記ターゲット伝送機能を使用可能にするため、前記受信側デバイスにより、前記送信側デバイスに使用可能メッセージを送信するステップであって、前記使用可能メッセージが前記ターゲット伝送機能を含むステップと、
前記受信側デバイスと前記送信側デバイスが前記ターゲット伝送機能の接続を確立するため、前記受信側デバイスにより、前記ターゲット伝送機能を介して前記送信側デバイスに認証メッセージを送信するステップであって、前記認証メッセージが前記認証情報を含むステップと
を含み、
前記優先順位を取得するための方法が、具体的に、
前記受信側デバイスにより、前記送信側デバイスによって提供された前記優先順位を取得するステップ、又は
前記受信側デバイスにより、前記受信側デバイスによって保管された前記優先順位を取得するステップ
を含む、方法。
【請求項２】
前記受信側デバイスにより、前記送信側デバイスの前記接続情報を取得するステップが、具体的に、
前記受信側デバイスにより、前記送信側デバイスによって送信され、前記接続情報を含む接続メッセージを受信するステップ、又は
前記受信側デバイスにより、前記送信側デバイスによって生成され、前記接続情報を含む２次元コードを取得するステップ
を含む、請求項１記載の方法。
【請求項３】
前記受信側デバイスにより、前記ターゲット伝送機能を介して前記送信側デバイスに前記認証メッセージを送信するステップが、
前記受信側デバイスにより、前記ターゲット伝送機能を使用可能にしたデバイスをサーチするステップであって、前記ターゲット伝送機能を使用可能にした前記デバイスが前記送信側デバイスを含むステップと、
前記ターゲット伝送機能を介して前記受信側デバイスにより、前記ターゲット伝送機能を使用可能にした前記デバイスに前記ターゲット伝送機能の認証情報を送信するステップと
を含む、請求項１記載の方法。
【請求項４】
データ接続を確立するための方法であって、
送信側デバイスにより、接続情報を生成するステップであって、前記接続情報が前記送信側デバイスの伝送機能と前記伝送機能の認証情報とを含むステップと、
前記送信側デバイスにより、受信側デバイスに前記接続情報を提供するステップと、
前記送信側デバイスにより、前記受信側デバイスによって送信された使用可能メッセージを受信するステップであって、前記使用可能メッセージは前記受信側デバイスが前記ターゲット伝送機能を使用可能にしたという通知情報を含むステップと、
前記送信側デバイスにより、前記使用可能メッセージに応じて前記ターゲット伝送機能を使用可能にするステップと、
前記送信側デバイスにより、前記受信側デバイスによって送信された認証メッセージを受信するステップであって、前記認証メッセージが前記認証情報を含むステップと、
前記送信側デバイスにより、前記認証メッセージに応じて、前記受信側デバイスとのターゲット伝送機能の接続を確立するステップと
を含む、方法。
【請求項５】
前記送信側デバイスにより、前記接続情報を生成するステップが、具体的に、前記送信側デバイスにより、前記接続情報を含む接続メッセージを生成するステップを含み、
前記送信側デバイスが前記接続メッセージを生成した場合、前記送信側デバイスにより、前記受信側デバイスに前記接続情報を提供するステップが、具体的に、前記送信側デバイスにより、前記受信側デバイスに前記接続メッセージを送信するステップを含むか、又は
前記送信側デバイスにより、前記接続情報を生成するステップが、具体的に、前記送信側デバイスにより、前記接続情報を含む２次元コードを生成するステップであって、前記２次元コードは前記受信側デバイスが走査により前記接続情報を取得するために使用されるステップを含み、
前記送信側デバイスが前記２次元コードを生成した場合、前記送信側デバイスにより、前記受信側デバイスに前記接続情報を提供するステップが、具体的に、前記送信側デバイスにより、前記２次元コードを表示するステップを含む、請求項４記載の方法。
【請求項６】
前記接続情報が前記伝送機能の優先順位を更に含む、請求項４又は５記載の方法。
【請求項７】
データ接続を確立するための装置であって、
送信側デバイスの接続情報を取得するように構成され、前記接続情報が送信側デバイスの伝送機能と前記伝送機能の認証情報とを含む、取得モジュールと、
前もって取得した伝送機能優先順位、前記送信側デバイスの前記伝送機能、及び受信側デバイスの伝送機能に応じて、ターゲット伝送機能を使用可能にするように構成された使用可能化モジュールと、
前記ターゲット伝送機能を介して前記送信側デバイスに認証メッセージを送信するように構成され、前記認証メッセージが前記認証情報を含む、送信モジュールと、
前記送信側デバイスとの前記ターゲット伝送機能の接続を確立するように構成された接続モジュールと
を含み、
前記送信側デバイスが前記ターゲット伝送機能を使用可能にするため、前記送信モジュールが、前記送信側デバイスに使用可能メッセージを送信するように更に構成され、前記使用可能メッセージが前記ターゲット伝送機能を含む、装置。
【請求項８】
前記取得モジュールが、具体的に、前記送信デバイスによって提供された前記優先順位を取得するように構成され、
前記取得モジュールが、前記受信側デバイスによって保管された前記優先順位を取得するように更に構成される、請求項７記載の装置。
【請求項９】
前記取得モジュールが、具体的に、前記送信側デバイスによって送信され、前記接続情報を含む接続メッセージを受信するように構成され、或いは、前記送信側デバイスによって生成され、前記接続情報を含む２次元コードを取得するように更に構成される、請求項７又は８記載の装置。
【請求項１０】
前記受信側デバイスが前記ターゲット伝送機能を使用可能にしたデバイスをサーチするように構成され、前記ターゲット伝送機能を使用可能にした前記デバイスが前記送信側デバイスを含む、サーチ・モジュール
を更に含み、
前記送信モジュールが、前記ターゲット伝送機能を介して、前記ターゲット伝送機能を使用可能にした前記デバイスに前記ターゲット伝送機能の認証情報を送信するように更に構成される、請求項７記載の装置。
【請求項１１】
データ接続を確立するための装置であって、
接続情報を生成し、提供モジュールに前記接続情報を提供するように構成され、前記接続情報が送信側デバイスの伝送機能と前記伝送機能の認証情報とを含む、生成モジュールと、
受信側デバイスに前記接続情報を提供するように構成された前記提供モジュールと、
前記受信側デバイスによって送信された認証メッセージを受信し、接続モジュールに前記認証メッセージを提供するように構成され、前記認証メッセージが前記認証情報を含む、受信モジュールと、
前記認証メッセージに応じて、前記受信側デバイスとのターゲット伝送機能の接続を確立するように構成された前記接続モジュールと
を含み、
前記受信モジュールが、前記受信側デバイスによって送信された使用可能メッセージを受信するように更に構成され、前記使用可能メッセージは前記受信側デバイスが前記ターゲット伝送機能を使用可能にしたという通知情報を含み、
前記装置が、前記使用可能メッセージに応じて前記ターゲット伝送機能を使用可能にするように構成された使用可能化モジュールを更に含む、装置。
【請求項１２】
前記生成モジュールが、具体的に、前記送信側デバイスが前記接続情報を含む接続メッセージを生成するように構成され、
前記生成モジュールが、前記接続情報を含む２次元コードを生成するように更に構成され、前記２次元コードは前記受信側デバイスが走査により前記接続情報を取得するために使用される、請求項１１記載の装置。
【請求項１３】
前記提供モジュールが、
前記送信側デバイスが前記接続メッセージを生成した場合、前記受信側デバイスに前記接続メッセージを送信するように構成された送信ユニットと、
前記送信側デバイスが前記２次元コードを生成した場合、表示画面上に前記２次元コードを表示するように構成された表示ユニットと
を含む、請求項１２記載の装置。
【請求項１４】
データ接続を確立するためのシステムであって、受信側デバイスと送信側デバイスとを含み、
前記受信側デバイスが、取得モジュールと、使用可能化モジュールと、送信モジュールと、接続モジュールとを含み、前記送信側デバイスが、生成モジュールと、提供モジュールと、受信モジュールと、接続モジュールとを含み、
前記送信側デバイスに含まれる前記生成モジュールが接続情報を生成し、前記接続情報が前記送信側デバイスの伝送機能と前記伝送機能の認証情報とを含み、
前記送信側デバイスに含まれる前記提供モジュールが、前記受信側デバイスに含まれる前記取得モジュールに前記接続情報を提供し、
前記受信側デバイスに含まれる前記取得モジュールが、前記送信側デバイスに含まれる前記提供モジュールによって提供された前記接続情報を取得し、
前記受信側デバイスに含まれる前記使用可能化モジュールが、前もって取得した伝送機能優先順位、前記送信側デバイスの前記伝送機能の状態、及び前記受信側デバイスの伝送機能の状態に応じて、ターゲット伝送機能を使用可能にし、
前記送信側デバイスが前記ターゲット伝送機能を使用可能にするため、前記受信側デバイスに含まれる前記送信モジュールが、前記送信側デバイスに使用可能メッセージを送信し、前記使用可能メッセージが前記ターゲット伝送機能を含み、
前記送信側デバイスに含まれる前記受信モジュールが、前記受信側デバイスによって送信された使用可能メッセージを受信し、前記使用可能メッセージは前記受信側デバイスが前記ターゲット伝送機能を使用可能にしたという通知情報を含み、
前記送信側デバイスに含まれる前記使用可能化モジュールが、前記使用可能メッセージに応じて前記ターゲット伝送機能を使用可能にし、
前記受信側デバイスに含まれる前記送信モジュールが、前記ターゲット伝送機能を介して、前記送信側デバイスに含まれる前記受信モジュールに認証メッセージを送信し、前記認証メッセージが前記認証情報を含み、
前記送信側デバイスに含まれる前記受信モジュールが、前記受信側デバイスに含まれる前記送信モジュールによって送信された前記認証メッセージを受信し、
前記送信側デバイスに含まれる前記接続モジュールが、前記認証メッセージに応じて、前記受信側デバイスに含まれる前記接続モジュールとの前記ターゲット伝送機能の接続を確立する、システム。
【発明の詳細な説明】
【技術分野】
【０００１】
本発明は、通信ネットワーク技術の分野に関し、特に、データ接続（data  connection）を確立するための方法、装置、及びシステムに関する。
【背景技術】
【０００２】
近距離無線通信技術（ＮＦＣ）は、近距離無線通信としても知られ、モバイル・デバイス、消費者向け電子製品、パーソナル・コンピュータ（ＰＣ）、及びインテリジェント制御ツール間の近距離無線通信を実現することができる、非接触識別相互接続技術である。電子デバイスは、ＮＦＣ技術を使用することにより、ファイル伝送を実現することができる。
【０００３】
２つの電子デバイスがＮＦＣ機能を使用することによりファイルを伝送する場合、その伝送速度は低く、伝送距離は０ｃｍ〜１０ｃｍの範囲である。ＮＦＣ技術は一般に７ＫＢ未満のファイルに使用される。速度及び伝送距離に関する制限を考慮して、従来技術では、電子デバイス同士の接触により特定の関連付けが確立され、両方の電子デバイスは、接触プロトコルにより、ワイヤレス・ネットワーク直接伝送（Ｗｉ−Ｆｉダイレクト）、ワイヤレス・ネットワーク（ワイヤレス・フィデリティ、Ｗｉ−Ｆｉ）、又はブルートゥース（Bluetooth（登録商標）、ＢＴ）などの同じ伝送機能（transmission  function）がペアリングを実行し、接続を確立できるようにし、その結果、電子デバイスが自動的に伝送機能を使用可能にし、ユーザは動作ステップを削減することができる。
【０００４】
しかし、ＮＦＣ認証に合格した後に、電子デバイスは、特定のプロトコルにより伝送機能を使用可能にし、そのプロトコルは同じ伝送機能を使用可能にするものであり、電子デバイスのいずれか一方がそのプロトコルによって指定された伝送機能を備えてない場合、データ伝送は失敗に終わる。
【発明の概要】
【発明が解決しようとする課題】
【０００５】
本発明の諸実施形態は、データ接続を確立するための方法、装置、及びシステムを提供し、それにより、電子デバイスによる伝送機能の自動判別を実現し、ユーザにより伝送機能を使用可能にする動作ステップを削減することができる。
【課題を解決するための手段】
【０００６】
第１の態様では、本発明の一実施形態はデータ接続を確立するための方法を提供し、この方法は、
受信側デバイス（receiver  device）により、送信側デバイス（transmitter  device）の接続情報を取得することであって、接続情報が送信側デバイスの伝送機能と伝送機能の認証情報とを含むことと、
受信側デバイスにより、前もって取得した伝送機能優先順位、送信側デバイスの伝送機能、及び受信側デバイスの伝送機能に応じて、ターゲット伝送機能（target  transmission  function）を使用可能にすることと、
受信側デバイスと送信側デバイスがターゲット伝送機能の接続を確立するため、受信側デバイスにより、ターゲット伝送機能を介して送信側デバイスに認証メッセージを送信することであって、認証メッセージが認証情報を含むこと
を含む。
【０００７】
第１の態様の第１の可能な実現様式では、優先順位を取得するための方法は、具体的に、
受信側デバイスにより、送信側デバイスによって提供された優先順位を取得すること、又は
受信側デバイスにより、受信側デバイスによって保管された優先順位を取得すること
を含む。
【０００８】
第１の態様又は第１の態様の第１の可能な実現様式により、第１の態様の第２の可能な実現様式が更に提供され、第１の態様の第２の可能な実現様式では、受信側デバイスにより、送信側デバイスの接続情報を取得することが、具体的に、
受信側デバイスにより、送信側デバイスによって送信され、接続情報を含む接続メッセージを受信すること、又は
受信側デバイスにより、送信側デバイスによって生成され、接続情報を含む２次元コードを取得すること
を含む。
【０００９】
第１の態様又は第１の態様の上記の可能な実現様式のうちのいずれか１つにより、第１の態様の第３の可能な実現様式が更に提供され、第１の態様の第３の可能な実現様式では、受信側デバイスにより、送信側デバイスの接続情報を取得することが、具体的に、受信側デバイスにより、送信側デバイスによって送信され、接続情報を含む接続メッセージを受信することである場合、ターゲット伝送機能を使用可能にした後、且つ、受信側デバイスにより、ターゲット伝送機能を介して送信側デバイスに認証メッセージを送信する前に、この方法は、
送信側デバイスがターゲット伝送機能を使用可能にするため、受信側デバイスにより、送信側デバイスに使用可能メッセージ（enable  message）を送信することであって、使用可能メッセージがターゲット伝送機能を含むこと
を更に含む。
【００１０】
第１の態様の第２の可能な実現様式又は第１の態様の第３の可能な実現様式により、第１の態様の第４の可能な実現様式が更に提供され、第１の態様の第４の可能な実現様式では、受信側デバイスにより、ターゲット伝送機能を介して送信側デバイスに認証メッセージを送信することが、
受信側デバイスにより、ターゲット伝送機能を使用可能にしたデバイスをサーチすることであって、ターゲット伝送機能を使用可能にしたデバイスが送信側デバイスを含むことと、
ターゲット伝送機能を介して受信側デバイスにより、ターゲット伝送機能を使用可能にしたデバイスにターゲット伝送機能の認証情報を送信すること
を含む。
【００１１】
第２の態様では、本発明の一実施形態はデータ接続を確立するための方法を提供し、この方法は、
送信側デバイスにより、接続情報を生成することであって、接続情報が送信側デバイスの伝送機能と伝送機能の認証情報とを含むことと、
送信側デバイスにより、受信側デバイスに接続情報を提供することと、
送信側デバイスにより、受信側デバイスによって送信された認証メッセージを受信することであって、認証メッセージが認証情報を含むことと、
送信側デバイスにより、認証メッセージに応じて、受信側デバイスとのターゲット伝送機能の接続を確立すること
を含む。
【００１２】
第２の態様の第１の可能な実現様式では、送信側デバイスにより、接続情報を生成することが、具体的に、
送信側デバイスにより、接続情報を含む接続メッセージを生成すること、又は
送信側デバイスにより、接続情報を含む２次元コードを生成することであって、２次元コードは受信側デバイスが走査（scanning）により接続情報を取得するために使用されること
を含む。
【００１３】
第２の態様の第１の可能な実現様式により、第２の態様の第２の可能な実現様式が更に提供され、第２の態様の第２の可能な実現様式では、送信側デバイスにより、受信側デバイスに接続情報を提供することが、具体的に、
送信側デバイスが接続メッセージを生成した場合、送信側デバイスにより、受信側デバイスに接続メッセージを送信すること、又は
送信側デバイスが２次元コードを生成した場合、送信側デバイスにより、２次元コードを表示すること
を含む。
【００１４】
第２の態様の第１の可能な実現様式により、第２の態様の第３の可能な実現様式が更に提供され、第２の態様の第３の可能な実現様式では、送信側デバイスにより、接続情報を生成することが、具体的に、送信側デバイスにより、２次元コードを生成することである場合、送信側デバイスにより、受信側デバイスに接続情報を提供する前に、この方法は、
送信側デバイスにより、伝送機能を使用可能にすること
を更に含み、
送信側デバイスにより、受信側デバイスによって送信された認証メッセージを受信した後に、この方法は、
送信側デバイスにより、ターゲット伝送機能を除く伝送機能の伝送機能状態を初期状態に復元すること
を更に含む。
【００１５】
第２の態様の第１の可能な実現様式により、第２の態様の第４の可能な実現様式が更に提供され、第２の態様の第４の可能な実現様式では、送信側デバイスにより、接続情報を生成することが、具体的に、送信側デバイスにより、接続情報を含む接続メッセージを生成することである場合、送信側デバイスにより、受信側デバイスによって送信された認証メッセージを受信する前に、この方法は、
送信側デバイスにより、受信側デバイスによって送信された使用可能メッセージを受信することであって、使用可能メッセージは受信側デバイスがターゲット伝送機能を使用可能にしたという通知情報を含むことと、
送信側デバイスにより、使用可能メッセージに応じてターゲット伝送機能を使用可能にすること
を更に含む。
【００１６】
第２の態様又は第２の態様の上記の可能な実現様式のうちのいずれか１つにより、第２の態様の第５の可能な実現様式が更に提供され、第２の態様の第５の可能な実現様式では、接続情報が伝送機能の優先順位を更に含む。
【００１７】
第３の態様では、本発明の一実施形態はデータ接続を確立するための装置を提供し、この装置は、
送信側デバイスの接続情報を取得するように構成され、接続情報が送信側デバイスの伝送機能と伝送機能の認証情報とを含む、取得モジュールと、
前もって取得した伝送機能優先順位、送信側デバイスの伝送機能、及び受信側デバイスの伝送機能に応じて、ターゲット伝送機能を使用可能にするように構成された使用可能化モジュールと、
ターゲット伝送機能を介して送信側デバイスに認証メッセージを送信するように構成され、認証メッセージが認証情報を含む、送信モジュールと、
送信側デバイスとのターゲット伝送機能の接続を確立するように構成された接続モジュールと
を含む。
【００１８】
第３の態様の第１の可能な実現様式では、取得モジュールは、具体的に、送信デバイスによって提供された優先順位を取得するように構成され、
取得モジュールは、受信側デバイスによって保管された優先順位を取得するように更に構成される。
【００１９】
第３の態様又は第３の態様の第１の可能な実現様式により、第３の態様の第２の可能な実現様式が更に提供され、第３の態様の第２の可能な実現様式では、取得モジュールは、具体的に、送信側デバイスによって送信され、接続情報を含む接続メッセージを受信するように構成され、
取得モジュールは、送信側デバイスによって生成され、接続情報を含む２次元コードを取得するように更に構成される。
【００２０】
第３の態様又は第３の態様の上記の可能な実現様式のうちのいずれか１つにより、第３の態様の第３の可能な実現様式が更に提供され、第３の態様の第３の可能な実現様式では、送信側デバイスがターゲット伝送機能を使用可能にするため、送信モジュールは、送信側デバイスに使用可能メッセージを送信するように更に構成され、使用可能メッセージがターゲット伝送機能を含む。
【００２１】
第３の態様の第２の可能な実現様式又は第３の態様の第３の可能な実現様式により、第３の態様の第４の可能な実現様式が更に提供され、第３の態様の第４の可能な実現様式では、この装置は、
受信側デバイスがターゲット伝送機能を使用可能にしたデバイスをサーチするように構成され、ターゲット伝送機能を使用可能にしたデバイスが送信側デバイスを含む、サーチ・モジュール
を更に含み、
送信モジュールは、ターゲット伝送機能を介して、ターゲット伝送機能を使用可能にしたデバイスにターゲット伝送機能の認証情報を送信するように更に構成される。
【００２２】
第４の態様では、本発明の一実施形態はデータ接続を確立するための装置を提供し、この装置は、
接続情報を生成し、提供モジュールに接続情報を提供するように構成され、接続情報が送信側デバイスの伝送機能と伝送機能の認証情報とを含む、生成モジュールと、
受信側デバイスに接続情報を提供するように構成された提供モジュールと、
受信側デバイスによって送信された認証メッセージを受信し、接続モジュールに認証メッセージを提供するように構成され、認証メッセージが認証情報を含む、受信モジュールと、
認証メッセージに応じて、受信側デバイスとのターゲット伝送機能の接続を確立するように構成された接続モジュールと
を含む。
【００２３】
第４の態様の第１の可能な実現様式では、生成モジュールは、具体的に、送信側デバイスが接続情報を含む接続メッセージを生成するように構成され、
生成モジュールは、接続情報を含む２次元コードを生成するように更に構成され、２次元コードは受信側デバイスが走査により接続情報を取得するために使用される。
【００２４】
第４の態様の第１の可能な実現様式により、第４の態様の第２の可能な実現様式が更に提供され、第４の態様の第２の可能な実現様式では、提供モジュールは、
送信側デバイスが接続メッセージを生成した場合、受信側デバイスに接続メッセージを送信するように構成された送信ユニットと、
送信側デバイスが２次元コードを生成した場合、表示画面上に２次元コードを表示するように構成された表示ユニットと
を含む。
【００２５】
第４の態様の第１の可能な実現様式により、第４の態様の第３の可能な実現様式が更に提供され、第４の態様の第３の可能な実現様式では、この装置は、
伝送機能を使用可能にするように構成された使用可能化モジュールと、
ターゲット伝送機能を除く伝送機能の伝送機能状態を初期状態に復元するように構成された復元モジュールと
を更に含む。
【００２６】
第４の態様の第１の可能な実現様式により、第４の態様の第４の可能な実現様式が更に提供され、第４の態様の第４の可能な実現様式では、受信モジュールは、受信側デバイスによって送信された使用可能メッセージを受信するように更に構成され、使用可能メッセージは受信側デバイスがターゲット伝送機能を使用可能にしたという通知情報を含み、
使用可能化モジュールは、使用可能メッセージに応じてターゲット伝送機能を使用可能にするように更に構成される。
【００２７】
第５の態様では、本発明の一実施形態はデータ接続を確立するためのシステムを提供し、このシステムは受信側デバイスと送信側デバイスとを含み、
受信側デバイスは、取得モジュールと、使用可能化モジュールと、送信モジュールと、接続モジュールとを含み、送信側デバイスは、生成モジュールと、提供モジュールと、受信モジュールと、接続モジュールとを含み、
送信側デバイスに含まれる生成モジュールは接続情報を生成し、接続情報は送信側デバイスの伝送機能と伝送機能の認証情報とを含み、
送信側デバイスに含まれる提供モジュールは、受信側デバイスに含まれる取得モジュールに接続情報を提供し、
受信側デバイスに含まれる取得モジュールは、送信側デバイスに含まれる提供モジュールによって提供された接続情報を取得し、
受信側デバイスに含まれる使用可能化モジュールは、前もって取得した伝送機能優先順位、送信側デバイスの伝送機能の状態、及び受信側デバイスの伝送機能の状態に応じて、ターゲット伝送機能を使用可能にし、
受信側デバイスに含まれる送信モジュールは、ターゲット伝送機能を介して、送信側デバイスに含まれる受信モジュールに認証メッセージを送信し、認証メッセージは認証情報を含み、
送信側デバイスに含まれる受信モジュールは、受信側デバイスに含まれる送信モジュールによって送信された認証メッセージを受信し、
送信側デバイスに含まれる接続モジュールは、認証メッセージに応じて、受信側デバイスに含まれる接続モジュールとのターゲット伝送機能の接続を確立する。
【００２８】
本発明の諸実施形態によりデータ接続を確立するための方法、装置、及びシステムでは、受信側デバイスは、送信側デバイスによって送信された接続情報を取得し、前もって取得した伝送機能優先順位、送信側デバイスの伝送機能、及び受信側デバイスの伝送機能に応じて、ターゲット伝送機能を使用可能にし、次に、受信側デバイスは、ターゲット伝送機能を介して送信側デバイスに認証メッセージを送信し、送信側デバイスとのターゲット伝送機能の接続を確立する。従来技術では、電子デバイスは、特定のＮＦＣプロトコルにより伝送機能を使用可能にし、そのプロトコルは同じ伝送機能を使用可能にするものであり、電子デバイスのいずれか一方がプロトコルによって指定された伝送機能を備えてない場合、データ伝送障害という問題が発生する。比較すると、本発明の諸実施形態は、電子デバイスによる伝送機能の自動判別を実現し、ユーザにより伝送機能を使用可能にする動作ステップを削減し、それにより、ユーザの経験を改善することができる。
【００２９】
本発明の諸実施形態又は従来技術における技術的解決策をより明瞭に説明するために、諸実施形態又は従来技術を説明するために必要な添付図面について以下に簡単に紹介する。明らかに、以下の説明における添付図面は単に本発明のいくつかの実施形態を示すだけであり、当業者であれば、創造的努力なしにこれらの添付図面からその他の図面を更に導き出すことができる。
【図面の簡単な説明】
【００３０】
【図１】本発明の一実施形態によりデータ接続を確立するための方法の流れ図である。
【図２】本発明の一実施形態によりデータ接続を確立するための他の方法の流れ図である。
【図３】本発明の一実施形態によりデータ接続を確立するための方法において送信側デバイスが接続情報を生成するための方法の流れ図である。
【図４】本発明の一実施形態によりデータ接続を確立するための方法において送信側デバイスが接続情報を生成するための他の方法の流れ図である。
【図５】本発明の一実施形態によりデータ接続を確立するための更に他の方法の流れ図である。
【図６】本発明の一実施形態によりデータ接続を確立するための更に他の方法の流れ図である。
【図７】本発明の一実施形態によりデータ接続を確立するための装置の概略構成図である。
【図８】本発明の一実施形態によりデータ接続を確立するための他の装置の概略構成図である。
【図９】本発明の一実施形態によりデータ接続を確立するための更に他の装置の概略構成図である。
【図１０】本発明の一実施形態によりデータ接続を確立するための更に他の装置の概略構成図である。
【図１１】本発明の一実施形態によりデータ接続を確立するための更に他の装置の概略構成図である。
【図１２】本発明の一実施形態によりデータ接続を確立するための更に他の装置の概略構成図である。
【図１３】本発明の一実施形態によりデータ接続を確立するためのシステムの概略構成図である。
【発明を実施するための形態】
【００３１】
以下の説明では、本発明の諸実施形態における添付図面に関連して、本発明の諸実施形態における技術的解決策について明瞭かつ完全に記載している。明らかに、記載されている諸実施形態は、本発明の諸実施形態の全部ではなく一部に過ぎない。創造的努力なしに本発明の諸実施形態に基づいて当業者が取得したその他の実施形態はいずれも本発明の保護範囲に入るものとする。
【００３２】
図１に示されているように、本発明の一実施形態はデータ接続を確立するための方法を提供し、この方法は以下のステップを含む。
【００３３】
ステップ１０１：受信側デバイスは送信側デバイスの接続情報を取得し、接続情報は送信側デバイスの伝送機能と伝送機能の認証情報とを含む。
【００３４】
受信側デバイスと送信側デバイスはどちらも、携帯電話及びタブレット・コンピュータなどの伝送機能を有する装置でもよい。説明しやすくするために、この実施形態では、伝送機能を有する携帯電話を説明のための例として使用する。
【００３５】
この実施形態は送信側デバイスの伝送機能を制限しない。送信側デバイスが１つの伝送機能を有する場合、接続情報は１つの伝送機能を含み、送信側デバイスが少なくとも２つの伝送機能を有する場合、接続情報は少なくとも２つの伝送機能（即ち、送信側デバイスのすべての伝送機能）を含む。
【００３６】
この実施形態では、任意選択で、接続情報は具体的に送信側デバイスの伝送機能の名前（又はコードなどの識別子）とそれに対応する認証情報を含んでもよい。説明しやすくするために、ワイヤレス・ネットワーク直接伝送（Ｗｉ−Ｆｉダイレクト）、ワイヤレス・ネットワーク（ワイヤレス・フィデリティ、Ｗｉ−Ｆｉ）ホットスポット、及びブルートゥース（Bluetooth（登録商標）、ＢＴ）を含む伝送機能を説明のための例として使用する。認証情報は、少なくとも送信側デバイスの伝送機能に対応するパスワードを含む。
【００３７】
ステップ１０２：受信側デバイスは、前もって取得した伝送機能優先順位、送信側デバイスの伝送機能、及び受信側デバイスの伝送機能に応じて、ターゲット伝送機能を使用可能にする。
【００３８】
伝送機能優先順位は、伝送機能の伝送速度に応じて決定されてもよい。例えば、伝送機能優先順位は以下の通りである。即ち、Ｗｉ−ＦｉダイレクトはＷｉ−Ｆｉホットスポットより高い優先順位を有し、Ｗｉ−ＦｉホットスポットはＢＴより高い優先順位を有する。
【００３９】
具体的には、優先順位を取得するための方法は、受信側デバイスにより、送信側デバイスによって提供された優先順位を取得すること、又は、受信側デバイスにより、受信側デバイスによって保管された優先順位を取得することを含む。例えば、送信側デバイスによって受信側デバイスに送信された接続メッセージが優先順位を更に含む（即ち、優先順位は送信側デバイスの伝送機能の優先順位である）か、又は受信側デバイスが受信側デバイスの伝送機能の優先順位を取得する。
【００４０】
ターゲット伝送機能は受信側デバイスの伝送機能である。具体的には、例えば、受信側デバイスの伝送機能はＷｉ−Ｆｉ及びＢＴを含み、受信側デバイスは、前もって取得した伝送機能優先順位、即ち、Ｗｉ−Ｆｉダイレクトの伝送速度＞Ｗｉ−Ｆｉホットスポットの伝送速度＞ＢＴの伝送速度（送信側デバイスの伝送機能の優先順位）、送信側デバイスの伝送機能（Ｗｉ−Ｆｉダイレクト、Ｗｉ−Ｆｉ、及びＢＴ）、及び受信側デバイスの伝送機能（具体的には、受信側デバイスの伝送機能の状態：Ｗｉ−Ｆｉ及びＢＴは使用可能になっていない）に応じて、優先的にＷｉ−Ｆｉを使用可能にする。或いは、受信側デバイスの伝送機能はＷｉ−Ｆｉ及びＢＴを含み、受信側デバイスは、前もって取得した伝送機能優先順位、即ち、Ｗｉ−Ｆｉの伝送速度＞ＢＴの伝送速度（受信側デバイスの伝送機能の優先順位）、送信側デバイスの伝送機能（Ｗｉ−Ｆｉダイレクト、Ｗｉ−Ｆｉ、及びＢＴ）、及び受信側デバイスの伝送機能（Ｗｉ−Ｆｉは使用可能になり、ＢＴは使用可能になっていない）に応じて、優先的にＢＴを使用可能にする。
【００４１】
ステップ１０３：受信側デバイスと送信側デバイスがターゲット伝送機能の接続を確立するため、受信側デバイスはターゲット伝送機能を介して送信側デバイスに認証メッセージを送信し、認証メッセージは認証情報を含む。
【００４２】
認証情報は、少なくともターゲット伝送機能のコード（又は名前などの識別子）及びパスワードを含む。受信側デバイスがターゲット伝送機能を使用可能にした後に、受信側デバイスは、ターゲット伝送機能を使用可能にしたデバイスをサーチし始め、ターゲット伝送機能を使用可能にしたデバイスを見つけると、受信側デバイスはターゲット伝送機能を介して、ターゲット伝送機能を使用可能にしたデバイスにターゲット伝送機能の認証情報を送信する。
【００４３】
本発明のこの実施形態によりデータ接続を確立するための方法では、受信側デバイスは、送信側デバイスによって送信された接続情報を取得し、前もって取得した伝送機能優先順位、送信側デバイスの伝送機能、及び受信側デバイスの伝送機能に応じて、ターゲット伝送機能を使用可能にし、次に、受信側デバイスは、ターゲット伝送機能を介して送信側デバイスに認証メッセージを送信し、送信側デバイスとのターゲット伝送機能の接続を確立する。従来技術では、電子デバイスは、特定のＮＦＣプロトコルにより伝送機能を使用可能にし、そのプロトコルは同じ伝送機能を使用可能にするものであり、電子デバイスのいずれか一方がプロトコルによって指定された伝送機能を備えてない場合、データ伝送障害という問題が発生する。比較すると、本発明のこの実施形態は、電子デバイスによる伝送機能の自動判別を実現し、ユーザにより伝送機能を使用可能にする動作ステップを削減し、それにより、ユーザの経験を改善することができる。
【００４４】
図２に示されているように、本発明の一実施形態はデータ接続を確立するための他の方法を提供し、この方法は以下のステップを含む。
【００４５】
ステップ２０１：送信側デバイスは接続情報を生成し、接続情報は送信側デバイスの伝送機能と伝送機能の認証情報とを含む。
【００４６】
送信側デバイスは、携帯電話（又はモバイルフォンと呼ばれる）及びタブレット・コンピュータなどのタッチ伝送機能を有する装置でもよい。説明しやすくするために、この実施形態では、伝送機能を有する携帯電話を説明のための例として使用する。
【００４７】
この実施形態は送信側デバイスのすべての伝送機能を制限するわけではない。この実施形態では、任意選択で、接続情報は具体的に送信側デバイスの伝送機能の名前（又はコードなどの識別子）とそれに対応する認証情報を含んでもよい。説明しやすくするために、Ｗｉ−Ｆｉダイレクト、Ｗｉ−Ｆｉホットスポット、及びＢＴを含む伝送機能を説明のための例として使用する。
【００４８】
具体的には、送信側デバイスが接続情報を含む接続メッセージを生成するか、又は送信側デバイスが接続情報を含む２次元コードを生成し、２次元コードは受信側デバイスが走査により接続情報を取得するために使用される。
【００４９】
ステップ２０２：送信側デバイスは受信側デバイスに接続情報を提供する。
【００５０】
具体的には、送信側デバイスが接続メッセージを生成した場合、送信側デバイスは受信側デバイスに接続メッセージを送信し、又は、送信側デバイスが２次元コードを生成した場合、送信側デバイスは２次元コードを表示する。
【００５１】
ステップ２０３：送信側デバイスは受信側デバイスによって送信された認証メッセージを受信し、認証メッセージは認証情報を含む。
【００５２】
具体的には、認証メッセージはターゲット伝送機能の認証情報を含む。ターゲット伝送機能は、接続情報に含まれる伝送機能のうちの１つの伝送機能である。
【００５３】
受信側デバイスは接続機能に応じてターゲット伝送機能を使用可能にし、次に、受信側デバイスはターゲット伝送機能を介して送信側デバイスに認証メッセージを送信する。
【００５４】
ステップ２０４：送信側デバイスと受信側デバイスは認証メッセージに応じてターゲット伝送機能の接続を確立する。
【００５５】
具体的には、送信側デバイスがターゲット伝送機能を介して認証メッセージを受信した後に、送信側デバイスは、認証メッセージが正しいことを検出した後に受信側に認証応答を送信し、次に、送信側デバイスと受信側デバイスはターゲット伝送機能の接続を確立し、その結果、受信側デバイスはターゲット伝送機能を介して、送信側デバイスで送信すべきデータを取得する。
【００５６】
本発明のこの実施形態によりデータ接続を確立するための方法では、送信側デバイスは、接続情報を生成し、受信側デバイスに接続情報を提供し、接続情報は送信側デバイスの伝送機能と伝送機能の認証情報とを含み、次に、送信側デバイスは、受信側デバイスによって送信された認証メッセージを受信し、認証メッセージは認証情報を含み、送信側デバイスと受信側デバイスは認証メッセージに応じてターゲット伝送機能の接続を確立する。従来技術では、電子デバイスは、特定のＮＦＣプロトコルにより伝送機能を使用可能にし、そのプロトコルは同じ伝送機能を使用可能にするものであり、電子デバイスのいずれか一方がプロトコルによって指定された伝送機能を備えてない場合、データ伝送障害という問題が発生する。比較すると、本発明のこの実施形態は、電子デバイスの伝送機能に応じて伝送機能の自動判別を実現してデータ伝送を実行し、ユーザの経験を改善することができる。
【００５７】
本発明の一実施形態によりデータ接続を確立するための方法では、図２のステップ２０１及びステップ２０２に対応する実現様式が更に提供されてもよい。図３に示されているように、この方法は以下のステップを含む。
【００５８】
ステップ３０１：送信側デバイスと受信側デバイスはどちらも、ＮＦＣ機能を使用可能にしたデバイスを検出する。
【００５９】
ＮＦＣ機能を使用可能にした後に、送信側デバイスはＮＦＣ機能を使用可能にしたデバイスを検出し、ＮＦＣ機能を使用可能にしたデバイスは受信側デバイスを含む。ＮＦＣ機能を使用可能にした後に、受信側デバイスはＮＦＣ機能を使用可能にしたデバイスを検出する。
【００６０】
ステップ３０２：送信側デバイスは、ユーザによって入力されたトリガ命令を受信し、その伝送機能を使用可能にする。
【００６１】
送信側デバイスと受信側デバイスがＮＦＣ機能を使用可能にした後に、ＮＦＣ機能を使用可能にしたデバイスが受信側デバイスであることを送信側デバイスが検出した場合、送信側デバイスはユーザによって入力されたトリガ命令を待つ。トリガ命令は、接続情報を生成するよう送信側デバイスに指示する命令を含む。例えば、送信側デバイスと受信側デバイスがどちらもＮＦＣ機能を有し、ＮＦＣ機能を使用可能にした場合、送信側デバイスは、送信側デバイスと受信側デバイスが連絡を取ったときに受信側デバイスを検出することができる。
【００６２】
ステップ３０３：送信側デバイスは、トリガ命令に応じて、接続情報を含む接続メッセージを生成する。
【００６３】
トリガ命令は、接続情報を生成するよう送信側デバイスに指示する命令を含む。接続情報は送信側デバイスの伝送機能と伝送機能の認証情報とを含み、任意選択で、接続情報は送信側デバイスの伝送機能の優先順位を更に含んでもよく、任意選択で、接続情報は送信すべきデータのデータ情報を更に含んでもよい。送信すべきデータのデータ情報は、送信すべきデータの名前（又は、送信すべきデータのコードなどの識別子）、送信すべきデータの量、送信すべきデータの経路などを含んでもよい。
【００６４】
例えば、送信側デバイスが受信側デバイスと連絡を取ることによってその伝送機能を使用可能にする場合、送信側デバイスはＮＦＣ機能を介して受信側デバイスに接続情報を送信する。
【００６５】
本発明の一実施形態によりデータ接続を確立するための方法では、図２のステップ２０１及びステップ２０２に対応する他の実現様式が更に提供されてもよい。図４に示されているように、この方法は以下のステップを含む。
【００６６】
ステップ４０１：送信側デバイスは、ユーザによって入力されたトリガ命令を受信し、その伝送機能を使用可能にする。
【００６７】
ステップ４０２：送信側デバイスは、トリガ命令に応じて、接続情報を含む２次元コードを生成する。
【００６８】
２次元コードは受信側デバイスが走査により接続情報を取得するために使用される。例えば、送信側デバイスを保持するユーザが、受信側デバイスを保持するユーザに画像を送信する必要がある場合、ユーザはまず送信側デバイスでその画像を開き、次に２次元コードを生成するためのボタンをタップし（即ち、ユーザはトリガ命令を入力し）、次に送信側デバイスは受信したトリガ命令に応じて、接続情報を含む２次元コードを生成する（又は、生成された２次元コード内の接続情報が送信側デバイスの伝送機能の優先順位を更に含むか、又は、生成された２次元コード内の接続情報が画像で送信すべきデータ情報の２次元コードを更に含む）。受信側デバイスは、２次元コードを走査した後に、接続情報を取得する。明らかに、送信側デバイスは、他の様式で２次元コードを生成してもよい。この実施形態は送信側デバイスが２次元コードを生成するためのすべての様式をリストするわけではない。
【００６９】
本発明の一実施形態の一実現様式では、データ接続を確立するための方法が提供される。図５に示されているように、この方法は以下のステップを含む。
【００７０】
本発明のこの実施形態が実現される場合、送信側デバイスは、まず図３のステップ３０１からステップ３０３までを実行し、次に、生成され、接続情報を含む接続メッセージを送信側デバイスが受信側デバイスに送信した後にステップ５０１を引き続き実行する必要があるか、或いは、送信側デバイスは、まず図４のステップ４０１及びステップ４０２を実行し、次に、送信側デバイスによって生成され接続情報を含む２次元コードを受信側デバイスが取得（走査）した後にステップ５０１を引き続き実行する必要がある。
【００７１】
ステップ５０１：接続情報を取得した後に、受信側デバイスは、前もって取得した伝送機能優先順位、送信側デバイスの伝送機能、及び受信側デバイスの伝送機能に応じて、ターゲット伝送機能を使用可能にする。
【００７２】
受信側デバイスが、前もって取得した伝送機能優先順位、送信側デバイスの伝送機能、及び受信側デバイスの伝送機能に応じて、ターゲット伝送機能を使用可能にする場合、前もって取得した伝送機能優先順位を参照するときに、ターゲット伝送機能を使用可能にするには受信側デバイスに関する制約に応じて関連の制約にも従わなければならないことに留意されたい。例えば、数社のベンダによって製造されたデバイスでは、Ｗｉ−ＦｉダイレクトとＷｉ−Ｆｉが関連付けられ、即ち、そのデバイスがＷｉ−Ｆｉダイレクトを使用可能にすると、Ｗｉ−Ｆｉも自動的に使用可能になる。しかし、他のベンダによって製造されたデバイスでは、Ｗｉ−ＦｉダイレクトとＷｉ−Ｆｉが相互に排他的である場合があり、即ち、両方を同時に使用可能にすることができない。
【００７３】
加えて、Ｗｉ−Ｆｉホットスポットとデバイス内のＷｉ−Ｆｉは相互に排他的である。例えば、前もって受信側デバイスによって取得された伝送機能優先順位はＷｉ−Ｆｉダイレクト、Ｗｉ−Ｆｉ、及びＢＴの順であり、送信側デバイスの伝送機能はＷｉ−Ｆｉダイレクト、Ｗｉ−Ｆｉ、及びＢＴを含み、受信側デバイスの伝送機能はＷｉ−Ｆｉホットスポット、Ｗｉ−Ｆｉ、及びＢＴを含む。この時点で、受信側デバイスはＷｉ−Ｆｉホットスポットの伝送機能を使用可能にしている。従って、受信側デバイスはＷｉ−Ｆｉを介して送信側デバイスに接続することができず、即ち、受信側デバイスは送信側デバイスとの接続を確立するためにＢＴのみを使用可能にすることができる。Ｗｉ−ＦｉダイレクトとＷｉ−Ｆｉが関連付けられている場合、Ｗｉ−ＦｉダイレクトとＷｉ−Ｆｉホットスポットが相互に排他的な関係にあることは理解できることである。
【００７４】
例えば、受信側デバイスの伝送機能はＷｉ−Ｆｉホットスポット、Ｗｉ−Ｆｉ、及びＢＴを含む。前もって受信側デバイスによって取得された伝送機能優先順位はＷｉ−Ｆｉホットスポット、Ｗｉ−Ｆｉ、及びＢＴの順であり、送信側デバイスの伝送機能はＷｉ−Ｆｉダイレクト、Ｗｉ−Ｆｉ、及びＢＴを含む。従って、受信側デバイスは優先的にＷｉ−Ｆｉを使用可能にしなければならない。しかし、Ｗｉ−ＦｉホットスポットとＷｉ−Ｆｉが相互に排他的であるので、受信側デバイスはＢＴを使用可能にすることを選択する。
【００７５】
ステップ５０２：受信側デバイスはターゲット伝送機能を介して送信側デバイスに認証メッセージを送信する。
【００７６】
認証メッセージは、少なくともターゲット伝送機能に対応する認証情報を含む。認証情報は、ターゲット伝送機能のコード（又は名前などの識別子）及びパスワードを含んでもよい。受信側デバイスがターゲット伝送機能を使用可能にした後に、受信側デバイスは、ターゲット伝送機能を使用可能にしたデバイスをサーチし始め、ターゲット伝送機能を使用可能にしたデバイスを見つけると、受信側デバイスはターゲット伝送機能を介して、ターゲット伝送機能を使用可能にしたデバイスにターゲット伝送機能の認証情報を送信する。
【００７７】
ステップ５０３：受信側デバイスによって送信された認証メッセージを受信した後に、送信側デバイスは、ターゲット伝送機能を除くその伝送機能の伝送機能状態を初期状態に復元する。
【００７８】
具体的には、送信側デバイスがすべての伝送機能を使用可能にするわけではないという条件で、送信側デバイスと受信側デバイスがトリガ動作を実行した後に、送信側デバイスのすべての伝送機能が使用可能になり、ターゲット伝送機能に対応し、受信側デバイスによって送信された認証情報を送信側デバイスが受信した後に、送信側デバイスは、ユーザによる送信側デバイスの通常使用に影響を及ぼさないように、ターゲット伝送機能を除くすべての伝送機能を使用不可にする。
【００７９】
認証メッセージを受信した後に送信側デバイスが認証メッセージに関する検出を実行し、認証メッセージが正しいことを検出した後に送信側デバイスが受信側デバイスに認証応答を送信することは理解できることである。
【００８０】
ステップ５０４：送信側デバイスと受信側デバイスはターゲット伝送機能の接続を確立する。
【００８１】
送信側デバイスと受信側デバイスがターゲット伝送機能の接続を確立した後に、任意選択で、送信側デバイスは、送信すべきデータをパックし、次に送信すべきデータ・パッケージを一時記憶域に入れ、受信側デバイスは、接続情報内の送信すべきデータのデータ情報に応じて、送信すべきデータの経路を介して、送信すべきデータを取得する。
【００８２】
この実施形態では、送信側デバイスは受信側デバイスに接続メッセージを送信する前にその伝送機能をすべて使用可能にしているので、この実現様式では、受信側デバイスはターゲット伝送機能を使用可能にした後に送信側デバイスに使用可能メッセージを送信する必要がない。他の実現様式では、送信側デバイスは受信側デバイスに接続メッセージを送信する前にその伝送機能をすべて使用可能にしているが、送信側デバイスがそのすべての伝送機能を使用可能にするわけではない場合、受信側デバイスが使用可能メッセージを送信しないことを回避するために、受信側デバイスはターゲット伝送機能を使用可能にした後に送信側デバイスに使用可能メッセージを更に送信してもよい。
【００８３】
本発明のこの実施形態によりデータ接続を確立するための方法では、本発明のこの実施形態は以下の効果を達成することができる。即ち、両方のデバイスがトリガ動作を実行した後に、受信側デバイスは、前もって取得した伝送機能優先順位、受信側デバイスの伝送機能、及びその伝送機能の現在の状態と組み合わせて、送信側デバイスによって送信された伝送機能及び送信側デバイスによって送信された伝送機能の認証情報に応じて、その伝送機能の１つ（ターゲット伝送機能）を使用可能にすることができ、次に、受信側デバイスと送信側デバイスはターゲット伝送機能の接続を確立し、それにより、ユーザの経験を改善する。
【００８４】
本発明の一実施形態の更に他の実現様式では、データ接続を確立するための方法が提供される。図６に示されているように、この方法は以下のステップを含む。
【００８５】
ステップ６０１：送信側デバイスと受信側デバイスはどちらも、ＮＦＣ機能を使用可能にしたデバイスを検出する。
【００８６】
ステップ６０２：送信側デバイスは、ユーザによって入力されたトリガ命令を受信する。
【００８７】
ステップ６０３：送信側デバイスは、トリガ命令に応じて、ＮＦＣ機能を介して受信側デバイスに接続情報を送信する。
【００８８】
接続情報は送信側デバイスの伝送機能と伝送機能の認証情報とを含み、任意選択で、接続情報は送信側デバイスの伝送機能の優先順位を更に含み、任意選択で、接続情報は送信すべきデータのデータ情報を更に含んでもよい。
【００８９】
ステップ６０４：受信側デバイスは、送信側デバイスによって送信された接続情報を受信した後に、ターゲット伝送機能を使用可能にする。
【００９０】
受信側デバイスによりターゲット伝送機能を使用可能にする場合の詳細説明については、図５のステップ５０１を参照してもよい。ここでは詳細を繰り返さない。
【００９１】
ステップ６０５：受信側デバイスはＮＦＣ機能を介して送信側デバイスに使用可能メッセージを送信する。
【００９２】
使用可能メッセージは、受信側デバイスがターゲット伝送機能を使用可能にしたという通知情報を含む。送信側デバイスと受信側デバイスが連絡を取るプロセスを通じて受信側デバイスが送信側デバイスに使用可能メッセージを送信することに留意されたい。例えば、送信側デバイスと受信側デバイスが、使用可能になっているＮＦＣ機能を介して連絡を取る場合、送信側デバイスはまず受信側デバイスに接続情報を送信し、受信側デバイスが受信した接続情報に応じてターゲット伝送機能を使用可能にした後に、受信側デバイスは送信側デバイスに使用可能メッセージを送信する。
【００９３】
使用可能メッセージが少なくともターゲット伝送機能の名前を含むことは理解できることである。
【００９４】
ステップ６０６：送信側デバイスは、受信側デバイスによって送信された使用可能メッセージを受信した後に、ターゲット伝送機能を使用可能にする。
【００９５】
送信側デバイスは、使用可能メッセージに応じて、受信側デバイスによって送信された使用可能メッセージに含まれるターゲット伝送機能の名前に対応するターゲット伝送機能を使用可能にする。例えば、受信側デバイスが接続情報に応じてＷｉ−Ｆｉダイレクトを使用可能にする場合、送信側デバイスに送信された使用可能メッセージはＷｉ−Ｆｉダイレクトの名前を含み、送信側デバイスは、使用可能メッセージを受信した後にＷｉ−Ｆｉダイレクトを使用可能にし、或いは、受信側デバイスが接続情報に応じてＷｉ−Ｆｉを使用可能にする場合、送信側デバイスに送信された使用可能メッセージはＷｉ−Ｆｉの名前を含み、送信側デバイスは、使用可能メッセージを受信した後にＷｉ−Ｆｉホットスポットを使用可能にする。
【００９６】
任意選択で、送信側デバイスがトリガ命令を受信した後にその伝送機能を使用可能にする場合、送信側デバイスは使用可能メッセージを受信した後にいかなる処理も実行しないことに留意されたい。
【００９７】
ステップ６０７：受信側デバイスはターゲット伝送機能を介して送信側デバイスに認証メッセージを送信する。
【００９８】
使用可能メッセージを送信してからの時間間隔が事前設定時間になった場合、受信側デバイスはターゲット伝送機能を使用可能にしたデバイスをサーチし始め、ターゲット伝送機能を使用可能にしたデバイスを見つけると、受信側デバイスはターゲット伝送機能を介して、ターゲット伝送機能を使用可能にしたデバイスに認証メッセージを送信し、認証メッセージはターゲット伝送機能の認証情報を含む。事前設定時間は秒単位でもよく、この実施形態は事前設定時間の範囲を限定しない。例えば、事前設定時間は１秒でもよい、即ち、受信側デバイスが送信側デバイスに使用可能メッセージを送信してから１秒後に、受信側デバイスはターゲット伝送機能を使用可能にしたデバイスをサーチし始める。受信側デバイスがこの時点でターゲット伝送機能を使用可能にしたデバイスを見つけられない場合、或いは受信側デバイスがターゲット伝送機能を使用可能にしたデバイスに対してターゲット伝送機能に対応する認証情報を送信した後にそのデバイスから応答を受信しない場合、受信側デバイスは、受信側デバイスと送信側デバイスが正常に接続されるまで、ターゲット伝送機能を使用可能にしたデバイスをサーチし続け、ターゲット伝送機能を使用可能にしたデバイスが新たに見つかった場合にそのデバイスに対してターゲット伝送機能に対応する認証情報を送信してもよい。
【００９９】
任意選択で、送信側デバイスがトリガ命令を受信した後にその伝送機能を使用可能にする場合、送信側デバイスは、認証メッセージを受信した後にターゲット伝送機能を除く伝送機能の状態を初期状態に復元してもよい。
【０１００】
ステップ６０８：送信側デバイスと受信側デバイスはターゲット伝送機能の接続を確立する。
【０１０１】
本発明のこの実施形態によりデータ接続を確立するための方法では、本発明のこの実施形態は以下の効果を達成することができる。即ち、両方のデバイスがトリガ動作を実行した後に、受信側デバイスは、前もって取得した伝送機能優先順位、受信側デバイスの伝送機能、及びその伝送機能の現在の状態と組み合わせて、送信側デバイスによって送信された伝送機能及び送信側デバイスによって送信された伝送機能の認証情報に応じて、その伝送機能の１つ（ターゲット伝送機能）を使用可能にすることができ、次に、受信側デバイスと送信側デバイスはターゲット伝送機能の接続を確立し、それにより、ユーザの経験を改善する。
【０１０２】
図７に示されているように、本発明の一実施形態はデータ接続を確立するための装置７０を提供し、この装置は、取得モジュール７０１と、使用可能化モジュール７０２と、送信モジュール７０３と、接続モジュール７０４とを含む。この装置は受信側デバイスでもよく、具体的には、受信側デバイスは伝送機能を有するデバイスでもよい。
【０１０３】
取得モジュール７０１は、送信側デバイスの接続情報を取得するように構成され、接続情報は送信側デバイスの伝送機能と伝送機能の認証情報とを含む。
【０１０４】
この装置と送信側デバイスはどちらも、携帯電話（又はモバイルフォンと呼ばれる）及びタブレット・コンピュータなどのタッチ伝送機能を有する装置でもよい。説明しやすくするために、この実施形態では、伝送機能を有する携帯電話を説明のための例として使用する。
【０１０５】
具体的には、取得モジュール７０１は、送信側デバイスによって送信され、接続情報を含む接続メッセージを受信してもよく、及び／又は、取得モジュール７０１は、送信側デバイスによって生成され、接続情報を含む２次元コードを更に取得してもよい。
【０１０６】
使用可能化モジュール７０２は、前もって取得した伝送機能優先順位、送信側デバイスの伝送機能、及び受信側デバイスの伝送機能に応じて、ターゲット伝送機能を使用可能にするように構成される。
【０１０７】
送信モジュール７０３は、ターゲット伝送機能を介して送信側デバイスに認証メッセージを送信するように構成され、認証メッセージは認証情報を含む。
【０１０８】
接続モジュール７０４は、送信側デバイスとのターゲット伝送機能の接続を確立するように構成される。
【０１０９】
認証情報は、少なくともターゲット伝送機能のコード（又は名前などの識別子）及びパスワードを含む。
【０１１０】
更に、図８に示されているように、データ接続を確立するための装置８０は、サーチ・モジュール７０５を更に含む。
【０１１１】
更に、取得モジュール７０１は、送信側デバイスによって提供された優先順位を取得してもよく、受信側デバイスによって保管された優先順位を取得してもよい。
【０１１２】
送信側デバイスとこの装置がどちらも近距離無線通信技術ＮＦＣ機能を有する場合、使用可能化モジュール７０２がターゲット伝送機能を使用可能にした後に、任意選択で、送信モジュール７０３が送信側デバイスに使用可能メッセージを送信し、使用可能メッセージは、受信側デバイスがターゲット伝送機能を使用可能にしたという通知情報を含む。
【０１１３】
送信側デバイスが使用可能メッセージに応じてターゲット伝送機能を使用可能にするため、使用可能メッセージは受信側デバイスがターゲット伝送機能を使用可能にしたという通知情報を含む。
【０１１４】
更に、送信モジュール７０３が送信側デバイスに使用可能メッセージを送信した後に、サーチ・モジュール７０５はターゲット伝送機能を使用可能にしたデバイスをサーチし、ターゲット伝送機能を使用可能にしたデバイスは送信側デバイスを含む。
【０１１５】
具体的には、使用可能メッセージを送信してからの時間間隔が事前設定時間になった場合、サーチ・モジュール７０５はターゲット伝送機能を使用可能にしたデバイスをサーチし始め、サーチ・モジュール７０５がターゲット伝送機能を使用可能にしたデバイスを見つけると、送信モジュール７０３はターゲット伝送機能を介して、ターゲット伝送機能を使用可能にしたデバイスに対して、ターゲット伝送機能に対応する認証情報を送信する。事前設定時間は秒単位でもよく、この装置は事前設定時間の範囲を限定しない。例えば、事前設定時間は１秒でもよい、即ち、送信モジュール７０３が送信側デバイスに使用可能メッセージを送信してから１秒後に、サーチ・モジュール７０５はターゲット伝送機能を使用可能にしたデバイスをサーチし始める。サーチ・モジュール７０５がこの時点でターゲット伝送機能を使用可能にしたデバイスを見つけられない場合、或いは送信モジュール７０３がターゲット伝送機能を使用可能にしたデバイスに対してターゲット伝送機能に対応する認証情報を送信した後にそのデバイスからいかなる応答も受信されない場合、サーチ・モジュール７０５は、この装置と送信側デバイスが正常に接続されるまで、ターゲット伝送機能を使用可能にしたデバイスをサーチし続けてもよく、送信モジュール７０３は、ターゲット伝送機能を使用可能にしたデバイスが新たに見つかった場合にそのデバイスに対してターゲット伝送機能に対応する認証情報を送信する。
【０１１６】
図７に示されている装置７０と図８に示されている装置８０では、モジュールの特定の実現プロセス及びモジュール間の情報相互作用などの内容は本発明の方法の実施形態と同じ発明理念に基づくものであるので、方法の実施形態を参照してもよく、ここでは詳細を繰り返さないことに留意されたい。
【０１１７】
本発明のこの実施形態によりデータ接続を確立するための装置は、電子デバイスの伝送機能に応じて伝送機能の自動判別を実現してデータ伝送を実行し、ユーザの経験を改善することができる。
【０１１８】
図９に示されているように、本発明の一実施形態はデータ接続を確立するための装置９０を提供し、この装置は、生成モジュール９０１と、提供モジュール９０２と、受信モジュール９０３と、接続モジュール９０４とを含む。この装置は送信側デバイスでもよく、具体的には、送信側デバイスは伝送機能を有するデバイスでもよい。
【０１１９】
生成モジュール９０１は、接続情報を生成し、提供モジュール９０２に接続情報を提供するように構成され、接続情報は送信側デバイスの伝送機能と伝送機能の認証情報とを含む。
【０１２０】
具体的には、送信側デバイスの生成モジュール９０１が接続情報を含む接続メッセージを生成するか、又は生成モジュール９０１が接続情報を含む２次元コードを生成し、２次元コードは受信側デバイスが走査により接続情報を取得するために使用される。
【０１２１】
提供モジュール９０２は、受信側デバイスに接続情報を提供するように構成される。
【０１２２】
受信モジュール９０３は、受信側デバイスによって送信された認証メッセージを受信し、接続モジュール９０４に認証メッセージを提供するように構成され、認証メッセージは認証情報を含む。
【０１２３】
接続モジュール９０４は、認証メッセージに応じて受信側デバイスとのターゲット伝送機能の接続を確立するように構成される。
【０１２４】
更に、図１０に示されているように、データ接続を確立するための装置１０は使用可能化モジュール９０５と復元モジュール９０６とを更に含み、提供モジュール９０２は送信ユニット９０２１と表示ユニット９０２２とを含む。
【０１２５】
任意選択で、使用可能化モジュール９０５は伝送機能を使用可能にするように構成され、
【０１２６】
復元モジュール９０６はターゲット伝送機能を除く伝送機能の伝送機能状態を初期状態に復元するように構成される。
【０１２７】
更に、受信モジュール９０３は、受信側デバイスによって送信された使用可能メッセージを受信するように更に構成され、使用可能メッセージは受信側デバイスがターゲット伝送機能を使用可能にしたという通知情報を含み、次に使用可能化モジュール９０５は使用可能メッセージに応じてターゲット伝送機能を使用可能にする。
【０１２８】
更に、提供モジュール９０２に含まれる送信ユニット９０２１は、送信側デバイスが接続メッセージを生成した場合、受信側デバイスに接続メッセージを送信するように構成され、表示ユニット９０２２は、送信側デバイスが２次元コードを生成した場合、表示画面上に２次元コードを表示するように構成されることに留意されたい。
【０１２９】
本発明によりデータ接続を確立するための他の装置はデータ接続を確立するための装置１０内にこれらのモジュールを含むが、提供モジュール９０２は送信ユニット９０２１又は表示ユニット９０２２のみを含むことは理解できることである。
【０１３０】
図９に示されている装置９０と図１０に示されている装置１０では、モジュールの特定の実現プロセス及びモジュール間の情報相互作用などの内容は本発明の方法の実施形態と同じ発明理念に基づくものであるので、方法の実施形態を参照してもよく、ここでは詳細を繰り返さないことに留意されたい。
【０１３１】
本発明のこの実施形態によりデータ接続を確立するための装置は、電子デバイスの伝送機能に応じて伝送機能の自動判別を実現してデータ伝送を実行し、ユーザの経験を改善することができる。
【０１３２】
本発明のこの実施形態はデータ接続を確立するための装置を更に提供してもよく、この装置は装置７０、装置８０、装置９０、及び装置１０のモジュールを含むことに留意されたい。詳細説明については、図７〜図１０を参照してもよく、ここでは詳細を繰り返さない。
【０１３３】
図１１に示されているように、本発明の一実施形態はデータ接続を確立するための装置１１を提供し、この装置は、メモリ１１０１と、レシーバ（receiver、受信機）１１０２と、プロセッサ１１０３と、トランスミッタ（transmitter、送信機）１１０４とを含む。この装置は受信側デバイスでもよく、具体的には、受信側デバイスは伝送機能を有するデバイスでもよい。
【０１３４】
メモリ１１０１は、プログラム・ルーチンを含む情報を保管するように構成される。
【０１３５】
メモリ１１０１は、読み取り専用メモリ（Read  Only  Memory、ＲＯＭ）、静的記憶装置、動的記憶装置、又はランダム・アクセス・メモリ（Random  Access  Memory、ＲＡＭ）でもよい。メモリ１１０１は、オペレーティング・システム及びアプリケーション・プログラムを保管してもよい。本発明のこの実施形態で提供される技術的解決策がソフトウェア又はファームウェアによって実現される場合、本発明のこの実施形態で提供される技術的解決策を実現するためのプログラム・コードは、メモリ１１０１に保管され、プロセッサ１１０３によって実行される。
【０１３６】
レシーバ１１０２は、送信側デバイスの接続情報を取得するように構成され、接続情報は送信側デバイスの伝送機能と伝送機能の認証情報とを含む。
【０１３７】
具体的には、レシーバ１１０２は、送信側デバイスによって送信され、接続情報を含む接続メッセージを受信してもよく、及び／又は、レシーバ１１０２は、送信側デバイスによって生成され、接続情報を含む２次元コードを更に取得してもよい。
【０１３８】
プロセッサ１１０３は、本発明のこの実施形態で提供される技術的解決策を実現するために、汎用中央演算処理装置（Central  Processing  Unit、ＣＰＵ）、マイクロプロセッサ、特定用途向け集積回路（Application  Specific  Integrated  Circuit、ＡＳＩＣ）、或いは関連のプログラムを実行するための１つ又は複数の集積回路を採用してもよい。
【０１３９】
具体的には、レシーバ１１０２は、送信側デバイスによって送信された接続情報を取得し、プロセッサ１１０３に接続情報を提供する。プロセッサ１１０３は、メモリ１１０１、レシーバ１１０２、及びトランスミッタ１１０４と結合され、プログラム・ルーチンの実行を制御するように構成され、具体的には、前もって取得した伝送機能優先順位、送信側デバイスの伝送機能、及び受信側デバイスの伝送機能に応じて、ターゲット伝送機能を使用可能にするように構成される。
【０１４０】
トランスミッタ１１０４は、ターゲット伝送機能を介して送信側デバイスに認証メッセージを送信するように構成され、認証メッセージは認証情報を含む。
【０１４１】
プロセッサ１１０３は、送信側デバイスとのターゲット伝送機能の接続を確立するように更に構成される。
【０１４２】
送信側デバイスとこの装置がどちらも近距離無線通信技術ＮＦＣ機能を有する場合のみ、トランスミッタ１１０４はＮＦＣ伝送機能を介して送信側デバイスに使用可能メッセージを送信できることに留意されたい。
【０１４３】
トランスミッタ１１０４が送信側デバイスに使用可能メッセージを送信した後に、使用可能メッセージを送信してからの時間間隔が事前設定時間になった場合、プロセッサ１１０３はターゲット伝送機能を使用可能にしたデバイスをサーチし始める。プロセッサ１１０３がターゲット伝送機能を使用可能にしたデバイスを見つけると、トランスミッタ１１０４はターゲット伝送機能を介して、ターゲット伝送機能を使用可能にしたデバイスに対して、ターゲット伝送機能の認証情報を送信する。事前設定時間は秒単位でもよく、この装置は事前設定時間の範囲を限定しない。例えば、事前設定時間は１秒でもよい、即ち、トランスミッタ１１０４が送信側デバイスに使用可能メッセージを送信してから１秒後に、プロセッサ１１０３はターゲット伝送機能を使用可能にしたデバイスをサーチし始める。プロセッサ１１０３がこの時点でターゲット伝送機能を使用可能にしたデバイスを見つけられない場合、或いはトランスミッタ１１０４がターゲット伝送機能を使用可能にしたデバイスに対してターゲット伝送機能の認証情報を送信した後にそのデバイスからいかなる応答も受信されない場合、プロセッサ１１０３は、この装置と送信側デバイスが正常に接続されるまで、ターゲット伝送機能を使用可能にしたデバイスをサーチし続けてもよく、トランスミッタ１１０４は、ターゲット伝送機能を使用可能にしたデバイスが新たに見つかった場合にそのデバイスに対してターゲット伝送機能に対応する認証情報を送信する。
【０１４４】
図１１に示されている装置では、モジュールの特定の実現プロセス及びモジュール間の情報相互作用などの内容は本発明の方法の実施形態と同じ発明理念に基づくものであるので、方法の実施形態を参照してもよく、ここでは詳細を繰り返さないことに留意されたい。
【０１４５】
本発明のこの実施形態によりデータ接続を確立するための装置は、電子デバイスの伝送機能に応じて伝送機能の自動判別を実現してデータ伝送を実行し、ユーザの経験を改善することができる。
【０１４６】
図１２に示されているように、本発明の一実施形態はデータ接続を確立するための他の装置１２を提供し、この装置は、メモリ１２０１と、プロセッサ１２０２と、レシーバ１２０３と、トランスミッタ１２０４とを含む。この装置は送信側デバイスでもよく、具体的には、送信側デバイスは伝送機能を有するデバイスでもよい。
【０１４７】
メモリ１２０１は、プログラム・ルーチンを含む情報を保管するように構成される。
【０１４８】
プロセッサ１２０２は、メモリ１２０１、レシーバ１２０３、及びトランスミッタ１２０４と結合され、プログラム・ルーチンの実行を制御するように構成され、具体的には、接続情報を生成するように構成され、接続情報は送信側デバイスの伝送機能と伝送機能の認証情報とを含む。
【０１４９】
具体的には、送信側デバイスのプロセッサ１２０２が接続情報を含む接続メッセージを生成するか、又はプロセッサ１２０２が接続情報を含む２次元コードを生成し、２次元コードは受信側デバイスが走査により接続情報を取得するために使用される。
【０１５０】
レシーバ１２０３は、受信側デバイスによって送信された認証メッセージを受信し、プロセッサ１２０２に認証メッセージを提供するように構成され、認証メッセージは認証情報を含む。
【０１５１】
プロセッサ１２０２は、認証メッセージに応じて受信側デバイスとのターゲット伝送機能の接続を確立するように更に構成される。
【０１５２】
任意選択で、プロセッサ１２０２は、伝送機能を使用可能にするように更に構成される。次に、レシーバ１２０３が認証メッセージを受信した後に、プロセッサ１２０２はターゲット伝送機能を除く伝送機能の伝送機能状態を初期状態に復元する。
【０１５３】
任意選択で、レシーバ１２０３は受信側デバイスによって送信された使用可能メッセージを受信し、次にプロセッサ１２０２はターゲット伝送機能を使用可能にする。
【０１５４】
使用可能メッセージは、受信側デバイスがターゲット伝送機能を使用可能にしたという通知情報を含む。
【０１５５】
図１２に示されている装置１２では、モジュールの特定の実現プロセス及びモジュール間の情報相互作用などの内容は本発明の方法の実施形態と同じ発明理念に基づくものであるので、方法の実施形態を参照してもよく、ここでは詳細を繰り返さないことに留意されたい。
【０１５６】
本発明のこの実施形態によりデータ接続を確立するための装置は、電子デバイスの伝送機能に応じて伝送機能の自動判別を実現してデータ伝送を実行し、ユーザの経験を改善することができる。
【０１５７】
本発明のこの実施形態はデータ接続を確立するための装置を提供してもよく、この装置は図１１及び図１２のモジュールを含むことに留意されたい。詳細説明については、図７〜図１０を参照してもよく、ここでは詳細を繰り返さない。
【０１５８】
図１３に示されているように、本発明の一実施形態はデータ接続を確立するためのシステム１３を提供し、データ接続を確立するためのシステム１３は受信側デバイス１３０１と送信側デバイス１３０２とを含む。
【０１５９】
受信側デバイス１３０１は、取得モジュール１３０１１と、使用可能化モジュール１３０１２と、送信モジュール１３０１３と、接続モジュール１３０１４とを含み、送信側デバイス１３０２は、生成モジュール１３０２１と、提供モジュール１３０２２と、受信モジュール１３０２３と、接続モジュール１３０２４とを含む。
【０１６０】
具体的には、送信側デバイス１３０２に含まれる生成モジュール１３０２１は接続情報を生成し、接続情報は送信側デバイス１３０２の伝送機能と伝送機能の認証情報とを含む。
【０１６１】
送信側デバイス１３０２に含まれる提供モジュール１３０２２は、受信側デバイス１３０１に含まれる取得モジュール１３０１１に接続情報を提供する。
【０１６２】
受信側デバイス１３０１に含まれる取得モジュール１３０１１は、送信側デバイス１３０２に含まれる提供モジュール１３０２２によって提供された接続情報を取得する。
【０１６３】
受信側デバイス１３０１に含まれる使用可能化モジュール１３０１２は、前もって取得した伝送機能優先順位、送信側デバイス１３０２の伝送機能の状態、及び受信側デバイス１３０１の伝送機能の状態に応じて、ターゲット伝送機能を使用可能にする。
【０１６４】
受信側デバイス１３０１に含まれる送信モジュール１３０１３は、ターゲット伝送機能を介して、送信側デバイス１３０２に含まれる受信モジュール１３０２３に認証メッセージを送信し、認証メッセージは認証情報を含む。
【０１６５】
送信側デバイス１３０２に含まれる受信モジュール１３０２３は、受信側デバイス１３０１に含まれる送信モジュール１３０１３によって送信された認証メッセージを受信する。
【０１６６】
送信側デバイス１３０２に含まれる接続モジュール１３０２４は、認証メッセージに応じて、受信側デバイス１３０１に含まれる接続モジュール１３０１４とのターゲット伝送機能の接続を確立する。
【０１６７】
図１３に示されているシステム１３では、モジュールの特定の実現プロセス及びモジュール間の情報相互作用などの内容は本発明の方法の実施形態と同じ発明理念に基づくものであるので、方法の実施形態を参照してもよく、ここでは詳細を繰り返さないことに留意されたい。
【０１６８】
本発明のこの実施形態によりデータ接続を確立するためのシステムは、電子デバイスの伝送機能に応じて伝送機能の自動判別を実現してデータ伝送を実行し、ユーザの経験を改善することができる。
【０１６９】
都合良く簡潔に説明するために、上記の機能モジュールの区分が例示のための一例として利用され、実際の実現例では、上記の諸機能を異なるモジュールに割り振り、必要に応じて実現することができ、即ち、装置の内部構造が上記の諸機能の全部又は一部を実現するために異なる機能モジュールに分割されることは、当業者であれば明瞭に理解することができる。上記のシステム、装置、及びユニットの詳細な作業プロセスについては、上記の方法の実施形態における対応するプロセスを参照してもよく、ここでは詳細を繰り返さない。
【０１７０】
本出願で提供されるいくつかの実施形態では、開示されているシステム、装置、及び方法が他の様式で実現されてもよいことを理解されたい。例えば、記載されている装置の実施形態は単に模範的なものに過ぎない。例えば、モジュール又はユニットの区分は、単に論理機能の区分に過ぎず、実際の実現例ではその他の区分にしてもよい。例えば、複数のユニット又はコンポーネントが他のシステムに結合又は統合されてもよく、いくつかの特徴が無視されてもよく、実行されなくてもよい。加えて、表示又は考察された相互結合或いは直接結合又は通信接続は、いくつかのインターフェースを介して実現されてもよい。装置間又はユニット間の間接結合又は通信接続は、電子、機械、又はその他の形で実現されてもよい。
【０１７１】
個別の部分として記載されているユニットは物理的に分離されてもよく、分離されなくてもよく、ユニットとして表示されている部分は物理的ユニットでもよく、物理ユニットでなくてもよく、１つの場所に位置してもよく、複数のネットワーク・ユニット上に分散されてもよい。諸実施形態の解決策の目的を達成するために、実際の必要性に応じて、これらのユニットの一部又は全部が選択されてもよい。
【０１７２】
加えて、本発明の諸実施形態の機能ユニットは１つの処理ユニットに統合されてもよく、そのユニットのそれぞれが物理的に単独で存在してもよく、２つ又はそれ以上のユニットが１つのユニットに統合されてもよい。統合されたユニットはハードウェアの形で実現されてもよく、ソフトウェア機能ユニットの形で実現されてもよい。
【０１７３】
統合されたユニットがソフトウェア機能ユニットの形で実現され、独立した製品として販売又は使用される場合、統合されたユニットはコンピュータ可読記憶媒体に保管されてもよい。このような理解に基づいて、本質的に本発明の技術的解決策、或いは従来技術に貢献する部分、或いはこれらの技術的解決策の全部又は一部は、ソフトウェア製品の形で実現されてもよい。このソフトウェア製品は、記憶媒体に保管され、本発明の諸実施形態に記載されている方法の諸ステップの全部又は一部を実行するようコンピュータ・デバイス（パーソナル・コンピュータ、サーバ、又はネットワーク・デバイスでもよい）又はプロセッサに指示するためのいくつかの命令を含む。上記の記憶媒体としては、ＵＳＢフラッシュ・ドライブ、取り外し可能ハード・ディスク、読み取り専用メモリ（Read-Only  Memory、ＲＯＭ）、ランダム・アクセス・メモリ（Random  Access  Memory、ＲＡＭ）、磁気ディスク、又は光ディスクなど、プログラム・コードを保管することができる任意の媒体を含む。
【０１７４】
上記の説明は、単に本発明の特定の諸実施形態に過ぎず、本発明の保護範囲を限定するためのものではない。本発明に開示された技術範囲内で当業者によって容易に推定される変形又は置換はいずれも本発明の保護範囲に入るものとする。従って、本発明の保護範囲は特許請求の範囲の保護範囲に従うものとする。
【図１】
0005870232.tif 000002
【図２】
0005870232.tif 000003
【図３】
0005870232.tif 000004
【図４】
0005870232.tif 000005
【図５】
0005870232.tif 000006
【図６】
0005870232.tif 000007
【図７】
0005870232.tif 000008
【図８】
0005870232.tif 000009
【図９】
0005870232.tif 000010
【図１０】
0005870232.tif 000011
【図１１】
0005870232.tif 000012
【図１２】
0005870232.tif 000013
【図１３】
0005870232.tif 000014